(57)【要約】【課題】針棒５１に針棒叩き３０を近づけ、より針棒の軸中心に近い位置、即ち、被叩き部４０の基端付近で、針棒叩きが針棒を叩けるようにした多針式刺繍ミシンを提供することを目的とする。【解決手段】各針棒の中間部に背後側に突出するよう設けられた被叩き部と、選択した針棒の背後側に設けられ、該針棒の被叩き部を叩いて該針棒を垂直方向に駆動する針棒叩きと、各針棒に設けられた被ガイド部４３ａと、各針棒の被ガイド部を垂直方向に摺動可能に嵌入させて各針棒の回転を抑制する複数のガイドスリット６１を有する針棒ガイド板６０とを備え、被ガイド部を各針棒の手前側に設けるとともに、針棒ガイド板を各針棒よりも手前側に設け、もって針棒と針棒叩きとの間に針棒ガイド板が介在しないようにする。【選択図】図１
2008126018.tif 000002
【特許請求の範囲】
【請求項１】
ミシンヘッドの前面に並ぶ複数の針棒のうちから一の針棒を選択し、選択した針棒に止着している縫い針を用いて刺繍する多針式刺繍ミシンにおいて、
各針棒に設けられた被叩き部と、選択した針棒の背後側に設けられ、該針棒の被叩き部を叩いて該針棒を垂直方向に駆動する針棒叩きと、各針棒に設けられた被ガイド部と、各針棒の被ガイド部を垂直方向に摺動可能に嵌入させて各針棒の回転を抑制する複数のガイドスリットを有する針棒ガイド板とを備え、
前記被ガイド部を各針棒の手前側に設けるとともに、前記針棒ガイド板を各針棒よりも手前側に設け、もって前記針棒と前記針棒叩きとの間に前記針棒ガイド板が介在しないようにすることにより、前記針棒に前記針棒叩きを近づけたことを特徴とする多針式刺繍ミシン。
【請求項２】
前記各針棒は、その上半部と下半部とにおいて、ミシンヘッドに設けられた上下２箇所の軸穴部により摺動可能に支持されるものであり、
前記各被叩き部は、各針棒の中間部から背後側に突出するように設けられたものである請求項１記載の多針式刺繍ミシン。
【請求項３】
各針棒にスライダが設けられており、各スライダの手前側に第２被ガイド部を設け、前記針棒ガイド板に、各スライダの第２被ガイド部を垂直方向に摺動可能に嵌入させて各布押さえ棒の回転を抑制する複数の第２ガイドスリットを形成した請求項１又は２記載の多針式刺繍ミシン。
【発明の詳細な説明】
【技術分野】
【０００１】
本発明は、多針式のミシンヘッドを有する刺繍ミシンに関するものである。
【背景技術】
【０００２】
従来、図７に示すように、ミシンヘッドの前面に並ぶ複数の針棒１０１のうちから一の針棒１０１を選択し、選択した針棒１０１に止着している縫い針１０４を用いて刺繍する多針式刺繍ミシンにおいて、ミシンヘッドに設けられた上下２箇所の軸穴部１０９ａ、１０９ｂにより摺動可能に支持された針棒１０１の中間部に、針棒１０１の背後側へ突出するよう設けられた被叩き部１０３を針棒叩き１０２が叩いて、駆動力を針棒１０１に伝達するものが知られている。
上記多針式刺繍ミシンは、針棒叩き１０２が前記の被叩き部１０３を叩いて、針棒１０１が垂直方向に駆動するようにしつつ、各針棒１０１の回転を抑制する必要がある。そのため、垂直方向に長いスリットを有する針棒ガイド板１０６を、針棒１０１と針棒叩き１０２との間に配置し、前記スリットに被叩き部１０３を垂直方向に摺動可能に嵌入させて、針棒１０１の回転を抑制している。（特許文献１）
【特許文献１】特開昭６３−１５９５６７号公報
【発明の開示】
【発明が解決しようとする課題】
【０００３】
ところで、厚物を刺繍するときなどは、できるだけ針棒の軸中心に近い位置を、針棒叩きで押し下げることが望ましいが、針棒の回転を抑制する針棒ガイド板が、針棒と針棒叩きとの間に介在するため、その分、針棒の軸中心からはなれた位置、即ち、被叩き部の先端付近でしか針棒叩きが針棒を叩けないという問題があった。
【０００４】
そこで、本発明は、針棒の回転を抑制する針棒ガイド板を、針棒と針棒叩きとの間から取り去り、針棒の手前側に配置し、針棒に針棒叩きを近づけ、より針棒の軸中心に近い位置、即ち、被叩き部の基端付近で、針棒叩きが針棒を叩けるようにした多針式刺繍ミシンを提供することを目的とする。
【課題を解決するための手段】
【０００５】
上記課題を解決するために、本発明の多針式刺繍ミシンは、ミシンヘッドの前面に並ぶ複数の針棒のうちから一の針棒を選択し、選択した針棒に止着している縫い針を用いて刺繍する多針式刺繍ミシンにおいて、
各針棒に設けられた被叩き部と、選択した針棒の背後側に設けられ、該針棒の被叩き部を叩いて該針棒を垂直方向に駆動する針棒叩きと、各針棒に設けられた被ガイド部と、各針棒の被ガイド部を垂直方向に摺動可能に嵌入させて各針棒の回転を抑制する複数のガイドスリットを有する針棒ガイド板とを備え、
前記被ガイド部を各針棒の手前側に設けるとともに、前記針棒ガイド板を各針棒よりも手前側に設け、もって前記針棒と前記針棒叩きとの間に前記針棒ガイド板が介在しないようにすることにより、前記針棒に前記針棒叩きを近づけたことを特徴とする。
【０００６】
ここで、各針棒は、その上半部と下半部とにおいて、ミシンヘッドに設けられた上下２箇所の軸穴部により摺動可能に支持されるものであり、各被叩き部は、各針棒の中間部から背後側に突出するように設けられる構成とすることができる。
また、各針棒にスライダが設けられており、各スライダの手前側に第２被ガイド部を設け、針棒ガイド板に、各スライダの第２被ガイド部を垂直方向に摺動可能に嵌入させて各布押さえ棒の回転を抑制する複数の第２ガイドスリットを形成する構成とすることができる。
【０００７】
針棒に被叩き部を設ける態様としては、特に限定はされないが、被叩き部の基端部に針棒抱きを形成し、該針棒抱きによって針棒を把持することで針棒に被叩き部を設ける態様や、針棒に貫通孔を設け、該貫通孔に被叩き部を貫通させることで針棒に被叩き部を設ける態様等が例示できる。
【０００８】
針棒叩きが被叩き部を叩く態様としては、特に限定はされないが、被叩き部を上から針棒叩きが押すように叩く態様や、被叩き部を針棒叩きが上下から把持しながら叩く態様等が例示できる。
【０００９】
針棒に被ガイド部を設ける態様としては、特に限定はされないが、被叩き部又はスライダに設ける態様や、被叩き部等とは別に設ける態様が例示できる。また、被ガイド部の態様としては、特に限定はされないが、形成されたボス等や、ボルト等の頭を代用する態様等が例示できる。
【発明の効果】
【００１０】
本発明によれば、針棒の回転を抑制する針棒ガイド板を、針棒と針棒叩きとの間から取り去り、針棒の手前側に配置し、針棒に針棒叩きを近づけ、より針棒の軸中心に近い位置、即ち、被叩き部の基端付近で、針棒叩きが針棒を叩けるようにした多針式刺繍ミシンを提供することことができる。
【発明を実施するための最良の形態】
【００１１】
ミシンヘッドの前面に並ぶ複数の針棒のうちから一の針棒を選択し、選択した針棒に止着している縫い針を用いて刺繍する多針式刺繍ミシンにおいて、
前記各針棒は、その上半部と下半部とにおいて、ミシンヘッドに設けられた上下２箇所の軸穴部により摺動可能に支持されるものであり、
各針棒の中間部に背後側に突出するよう設けられた被叩き部と、選択した針棒の背後側に設けられ、該針棒の被叩き部を叩いて該針棒を垂直方向に駆動する針棒叩きと、各針棒に設けられた被ガイド部と、各針棒の被ガイド部を垂直方向に摺動可能に嵌入させて各針棒の回転を抑制する複数のガイドスリットを有する針棒ガイド板とを備え、
前記被ガイド部を各針棒の手前側に設けるとともに、前記針棒ガイド板を各針棒よりも手前側に設け、もって前記針棒と前記針棒叩きとの間に前記針棒ガイド板が介在しないようにすることにより、前記針棒に前記針棒叩きを近づけたことを特徴とする多針式刺繍ミシン。
【実施例】
【００１２】
以下、本発明の多針式刺繍ミシンを具体化した実施例について、図１〜図６を参照して説明する。図６に示すように、本実施例の多針式刺繍ミシン１０は、機枠１１に複数のミシンヘッド２０が並設されるとともに、各ミシンヘッド２０を横方向に貫通する主軸１２とテーブル１３とが配設されている。
【００１３】
図１〜図５に示すように、ミシンヘッド２０は、主軸１２が貫通する駆動ボックス２１と、駆動ボックス２１の前方に平板棒状のスライドガイド２８を介して装着され、駆動ボックス２１に対して横方向に移動可能な針棒ケース５０とを有する。
【００１４】
針棒ケース５０には、等間隔で並列に９本の針棒５１が、針棒５１の上半部と下半部とにおいて、針棒ケース５０に設けられた上下２箇所の軸穴部５９ａ、５９ｂにより垂直方向に摺動可能に支持されている。針棒ケース５０の上部に設けられた軸穴部５９ａと下部に設けられた軸穴部５９ｂとの間にあり、針棒ケース５０に支持されている各針棒５１の中間部には、針棒５１の背後側に突出するように被叩き部４０が設けられている。
【００１５】
被叩き部４０の基端部には、針棒５１に対して横方向から嵌合し、前後方向の締付で針棒５１を把持する略コの字状の針棒抱き４１が形成されており、針棒抱き４１の開口している先端付近には、ネジ孔４２が切られている。ネジ孔４２には、針棒５１の前方から頭部を大きくした抱締ボルト４３が螺着している。抱締ボルト４３が針抱き４１を針棒５１の前後方向に締め付けることで、針棒抱き４１が基端となって、針棒５１に被叩き部４０が取着している。
【００１６】
選択した針棒５１に設けられている被叩き部４０は、背後にある針棒叩き３０の前部の略コの字状の係合部３０ａに上下から挟まれるように把持されている。針棒叩き３０は、被叩き部４０のより基端付近を叩けるよう針棒５１に近づけられている。
【００１７】
針棒５１の下部にはスライダ５５が、針棒５１に対して相対上下動可能に支持されている。スライダ５５の前方には布押さえ棒５４が、止めネジ５６で止着されている。布押さえ棒５４の下端には、布押さえ５４ａが設けられている。
【００１８】
また、針棒５１には、二つのコイル状のバネ５７、５８があり、一方は被叩き部４０とスライダ５５との間で押えバネ５７として、他方はスライダ５５と針棒ケース５０の下部に設けられた軸穴部５９ｂとの間で戻しバネ５８として、それぞれ具備されている。
【００１９】
針棒５１の下端には、縫い針５２が針止め５３によって止着されている。
【００２０】
針棒５１の手前側にあたる針棒ケース５０の前面には、針棒ケース５０に設けられている針棒５１の数と同じ数で等間隔に並列するガイドスリット６１、６２を有する針棒ガイド板６０が、針棒ケース５０の前面を覆うように設けられている。針棒ガイド板６０に形成された各ガイドスリット６１は、垂直方向に長くかつ垂直方向の中央より少し下のところで折れ曲がっている。この折れ曲がったところより下のスリットが第２ガイドスリット６２となっている。
【００２１】
針棒５１の前方からネジ孔４２に螺着している抱締ボルト４３の頭部は、被ガイド部４３ａとして、針棒ガイド板６０に形成されたガイドスリット６１に垂直方向に摺動可能に嵌入している。スライダ５５の前方に布押さえ棒５４を止着している止めネジ５６の頭部は、スライダ５５の第２被ガイド部５６ａとして、針棒ガイド板６０に形成された第２ガイドスリット６２に垂直方向に摺動可能に嵌入している。
【００２２】
駆動ボックス２１には、主軸１２に取着している針棒駆動カム部２２と、針棒駆動カム部２２の外周に設けられている棒状部２２ａの先端が中間部に連結し、基端部が駆動ボックス２１に軸支されている平板棒状の駆動レバー２４と、駆動レバー２４の先端部が平板棒状のリンク部材２５を介して後部に軸着し、前部に被叩き部４０を上下から把持する略コの字状の係合部３０ａを有する針棒叩き３０と、針棒５１と平行に設けられ、針棒叩き３０を上下動可能に支持している摺動軸２６とが備えられている。
【００２３】
図４に示すように、針棒ケース５０が駆動ボックス２１に対して、横方向に移動することで、駆動ボックス２１の横方向略中央に位置する針棒叩き３０に叩かれる針棒５１が交換される。これにより、多針式刺繍ミシン１０は複数の針棒５１のうちから選択した一の針棒５１の下端に止着している縫い針５２を用いて刺繍することができる。
【００２４】
図１、２に示すように、駆動力によって主軸１２が回転することで、針棒駆動カム部２２も回転し、駆動レバー２４を介して針棒叩き３０にも駆動力が伝達される。この駆動力により、針棒叩き３０は摺動軸２６の軸線上を上下に作動する。針棒叩き３０が上下に作動することで、被叩き部４０が針棒叩き３０に叩かれる。それによって、この被叩き部４０が設けられている針棒５１にも駆動力が伝わり、針棒５１が垂直方向に駆動する。針棒５１が垂直方向に駆動することで、針棒５１の下端に止着されている縫い針５２が上下に動作して縫製が行われる。
【００２５】
また、針棒５１が垂直方向に駆動することに呼応して、この針棒５１に支持されているスライダ５５も、上下動する。これは、押えバネ５７の下端がスライダ５５の上端に、戻しバネ５８の上端がスライダ５５の下端にそれぞれ密接してスライダ５５を付勢しており、針棒５１が垂直方向に駆動することによって、各バネ５７、５８も伸縮するからである。スライダ５５が上下動することで、スライダ５５に止着している布押さえ棒５４も上下動する。
【００２６】
さらに、抱締ボルト４３の頭部である被ガイド部４３ａは、針棒５１が垂直方向に駆動するのに合わせて、針棒ガイド板６０に形成されたガイドスリット６１を垂直方向に摺動する。止めネジ５６の頭部である布押さえ棒５４の第２被ガイド部５６ａも、スライダ５５が上下に動くのに合わせて、第２ガイドスリット６２を上下に摺動する。
【００２７】
本実施例によれば、次の効果が得られる。
（ａ）針棒５１の回転を抑制する針棒ガイド板６０を針棒５１と針棒叩き３０との間から取り去り、針棒５１の手前側に配置し、針棒５１に針棒叩き３０を近づけたことで、より針棒５１の軸中心に近い位置、即ち、より被叩き部４０の基端に近い位置を針棒叩き３０が叩くことができる。
（ｂ）より被叩き部４０の基端に近い位置を針棒叩き３０が叩くことができるようになったことで、特に厚物に対しての縫製効率が向上できる。
（ｃ）抱締ボルト４３の頭部が、針棒５１の被ガイド部４３ａとして針棒ガイド板６０に形成されたガイドスリット６１に嵌入し、垂直方向にのみ摺動することで、針棒５１の回転を抑制できる。
（ｄ）止めネジ５６の頭部が、布押さえ棒５４の第２被ガイド部５６ａとして針棒ガイド板６０に形成された第２ガイドスリット６２に嵌入し、垂直方向にのみ摺動することで、布押さえ棒５４の回転を抑制できる。
（ｅ）抱締ボルト４３の頭部が針棒５１の被ガイド部４３ａとしてガイドスリット６１に、止めネジ５６の頭部が布押さえ棒５４の第２被ガイド部５６ａとして第２ガイドスリット６２に、それぞれ嵌入する部材となることで、部品点数を減らすことができる。
【００２８】
本発明は、前記実施例に限定されるものではなく、例えば以下のように、発明の趣旨から逸脱しない範囲で適宜変更して具体化することもできる。
（１）ミシンヘッドの前面における複数の針棒の並びが、横一列ではなく、円弧状である。
（２）駆動力を各ミシンヘッドに伝達する主軸がミシンヘッドを貫通せず、主軸からギヤ等を介して分岐した軸が各ミシンヘッドの後方から駆動力を伝達するような形式のミシンである。
（３）ミシンヘッドが複数ではなく、単頭のミシンである。
（４）針棒用の被ガイド部が被叩き部の基端部に形成され、針棒ガイド板に形成されたスリットが途中で折れ曲がらず直線状である。
【図面の簡単な説明】
【００２９】
【図１】本発明に係る実施例の多針式刺繍ミシンのミシンヘッドの断面図である。
【図２】同ミシンの針棒の垂直方向への駆動状態を示す断面図である。
【図３】同ミシンのミシンヘッドの正面図である。
【図４】同ミシンヘッドの横方向への移動状態を示す正面図である。
【図５】同ミシンの被叩き部付近の斜視図である。
【図６】同ミシンの一部破断正面図である。
【図７】従来の多針式刺繍ミシンのミシンヘッドの断面図である。
【符号の説明】
【００３０】
１０    多針式刺繍ミシン
２０    ミシンヘッド
３０    針棒叩き
４０    被叩き部
４３ａ  被ガイド部
５１    針棒
５２    縫い針
５４    布押さえ棒
５５    スライダ
５６ａ  第２被ガイド部
５９ａ  軸穴部（上方）
５９ｂ  軸穴部（下方）
６０    針棒ガイド板
６１    ガイドスリット
６２    第２ガイドスリット
【図１】
2008126018.tif 000003
【図２】
2008126018.tif 000004
【図３】
2008126018.tif 000005
【図４】
2008126018.tif 000006
【図５】
2008126018.tif 000007
【図６】
2008126018.tif 000008
【図７】
2008126018.tif 000009